(57)【要約】【課題】簡易な構成により高い効率で光を供給可能な光源装置、照明装置及びプロジェクタを提供すること。【解決手段】第１波長の光を射出する光源部である半導体レーザ１１と、光源部からの第１波長の光を共振させる外部共振器である体積ホログラム１５と、光源部及び外部共振器の間の光路中に設けられ、第１波長の光を、第１波長とは異なる波長である第２波長の光へ変換する波長変換素子であるＳＨＧ素子１３と、第１波長の光を透過させ、かつ第２波長の光を反射させる波長選択反射部である波長選択ミラー層１４と、第１波長の光と第２波長の光とを分離させる波長分離部であるダイクロイックミラー１２と、を有し、波長選択ミラー層１４は、ＳＨＧ素子１３及び体積ホログラム１５の間の光路中に設けられ、ダイクロイックミラー１２は、半導体レーザ１１及びＳＨＧ素子１３の間の光路中に設けられる。【選択図】図１
2008286823.tif 000002
【特許請求の範囲】
【請求項１】
第１波長の光を射出する光源部と、
前記光源部からの前記第１波長の光を共振させる外部共振器と、
前記光源部及び前記外部共振器の間の光路中に設けられ、前記第１波長の光を、前記第１波長とは異なる波長である第２波長の光へ変換する波長変換素子と、
前記第１波長の光を透過させ、かつ前記第２波長の光を反射させる波長選択反射部と、
前記第１波長の光と前記第２波長の光とを分離させる波長分離部と、を有し、
前記波長選択反射部は、前記波長変換素子及び前記外部共振器の間の光路中に設けられ、
前記波長分離部は、前記光源部及び前記波長変換素子の間の光路中に設けられることを特徴とする光源装置。
【請求項２】
前記波長選択反射部は、前記外部共振器に設けられることを特徴とする請求項１に記載の光源装置。
【請求項３】
前記外部共振器は、体積ホログラムを有することを特徴とする請求項１又は２に記載の光源装置。
【請求項４】
前記波長分離部は、前記第１波長の光を透過させ、かつ前記第２波長の光を反射させることを特徴とする請求項１〜３のいずれか一項に記載の光源装置。
【請求項５】
前記波長分離部は、前記第１波長の光を反射させ、かつ前記第２波長の光を透過させることを特徴とする請求項１〜３のいずれか一項に記載の光源装置。
【請求項６】
前記光源部は、前記第１波長の光を反射させるミラー層を有することを特徴とする請求項１〜５のいずれか一項に記載の光源装置。
【請求項７】
請求項１〜６のいずれか一項に記載の光源装置を有し、前記光源装置からの光を用いて被照射物を照明することを特徴とする照明装置。
【請求項８】
請求項１〜６のいずれか一項に記載の光源装置を有し、前記光源装置からの光を用いて画像を表示することを特徴とするプロジェクタ。
【発明の詳細な説明】
【技術分野】
【０００１】
本発明は、光源装置、照明装置及びプロジェクタ、特に、レーザ光を供給する光源装置の技術に関する。
【背景技術】
【０００２】
近年、プロジェクタの光源装置にレーザ光源を用いる技術が提案されている。レーザ光源は、高出力化及び多色化に伴い、プロジェクタの光源として開発されている。プロジェクタの光源として従来用いられているＵＨＰランプと比較すると、レーザ光源は、高い色再現性、瞬時点灯が可能、長寿命である等の利点がある。レーザ光源を用いる光源装置としては、レーザ光源からの基本波光をそのままの波長で射出するものの他、基本波光の波長を変換して射出するものが知られている。基本波光の波長を変換する波長変換素子として、例えば第二高調波発生（Second−Harmonic  Generation；ＳＨＧ）素子が知られている。ＳＨＧ素子を用いることで、容易に入手可能な汎用のレーザ光源を用いて、所望の波長かつ十分な光量のレーザ光を供給することが可能となる。
【０００３】
ＳＨＧ素子へ入射する入射光に対する波長変換効率は、一般に３０〜４０％程度であることが知られている。レーザ光源からの基本波光をＳＨＧ素子へ入射させるのみでは、レーザ光源の出力に対して、波長変換後の高調波光の光量が非常に小さくなってしまう。高い効率で高調波光を得るために、例えば特許文献１には、高調波光と基本波光とを分離し、基本波光を再度ＳＨＧ素子へ入射させる技術が提案されている。高調波光は、レーザ光源からＳＨＧ素子へ基本波光が入射した際、及び、ＳＨＧ素子からミラーを経て再びＳＨＧ素子へ基本波光が入射した際に生じる。これらの高調波光を合成させることで、波長変換効率を向上させることができる。また、ポラライザを用いることで、同軸上にて２つの高調波光を合成させることができる。
【０００４】
【特許文献１】特開昭５９−１２８５２５号公報
【発明の開示】
【発明が解決しようとする課題】
【０００５】
特許文献１に提案される技術では、比較的多くの光学素子を必要とするために、光源装置の構成が複雑かつ大掛かりとなる。また、ポラライザを用いて２つの高調波光を合成するために、２つの高調波光は、互いに異なる振動方向の偏光光とされる。例えば、プロジェクタの空間光変調装置として用いられる液晶表示装置は、特定の振動方向の偏光光を変調することから、特定の振動方向の偏光光を入射させることが望ましい。互いに異なる振動方向の偏光光が合成される場合に、さらに偏光変換のための光学素子を設けることとなると、光源装置の構成がさらに複雑となる。このように、従来の技術によると、簡易な構成により高い効率で光を供給することが困難であるという問題を生じる。本発明は、上述の問題に鑑みてなされたものであり、簡易な構成により高い効率で光を供給可能な光源装置、その光源装置を用いる照明装置及びプロジェクタを提供することを目的とする。
【課題を解決するための手段】
【０００６】
上述した課題を解決し、目的を達成するために、本発明に係る光源装置は、第１波長の光を射出する光源部と、光源部からの第１波長の光を共振させる外部共振器と、光源部及び外部共振器の間の光路中に設けられ、第１波長の光を、第１波長とは異なる波長である第２波長の光へ変換する波長変換素子と、第１波長の光を透過させ、かつ第２波長の光を反射させる波長選択反射部と、第１波長の光と第２波長の光とを分離させる波長分離部と、を有し、波長選択反射部は、波長変換素子及び外部共振器の間の光路中に設けられ、波長分離部は、光源部及び波長変換素子の間の光路中に設けられることを特徴とする。
【０００７】
波長選択反射部及び波長分離部を設けることにより、第２波長の光である高調波光のみを取り出し、光源部及び外部共振器の間において、第１波長の光である基本波光を共振させる。光源部及び外部共振器の間で基本波光を往復させる間に高調波光を生じさせることで、高い効率で高調波光を得ることができる。光源装置は、光源部、外部共振器、波長変換素子を配置する光路中に波長選択反射部及び波長分離部を設ければ良く、簡易な構成にできる。さらに、外部共振器において高調波光の高い透過率を得ることが困難であったとしても、外部共振器にて高調波光を透過させる場合と比較して、高い効率で高調波光を得ることが可能となる。これにより、簡易な構成により高い効率で光を供給可能な光源装置を得られる。
【０００８】
また、本発明の好ましい態様としては、波長選択反射部は、外部共振器に設けられることが望ましい。波長選択反射部を透過した基本波光をそのまま外部共振器へ入射させることで、基本波光の損失を低減できる。これにより、さらに高い効率で光を供給できる。
【０００９】
また、本発明の好ましい態様としては、外部共振器は、体積ホログラムを有することが望ましい。体積ホログラムは、基本波光の狭帯域化に適している。光源装置は、体積ホログラムにより基本波光を狭帯域化させることで、さらに高い効率で光を供給できる。体積ホログラムは、高調波光について高い透過率を得ることが困難であるため、体積ホログラムにて高調波光を透過させる場合と比較して、高い効率で高調波光を得ることが可能となる。
【００１０】
また、本発明の好ましい態様としては、波長分離部は、第１波長の光を透過させ、かつ第２波長の光を反射させることが望ましい。これにより、第１波長の光と第２波長の光とを分離させることができる。
【００１１】
また、本発明の好ましい態様としては、波長分離部は、第１波長の光を反射させ、かつ第２波長の光を透過させることが望ましい。これにより、第１波長の光と第２波長の光とを分離させることができる。
【００１２】
また、本発明の好ましい態様としては、光源部は、第１波長の光を反射させるミラー層を有することが望ましい。これにより、光源部と外部共振器との間で基本波光を共振させることができる。
【００１３】
さらに、本発明に係る照明装置は、上記の光源装置を有し、光源装置からの光を用いて被照射物を照明することを特徴とする。上記の光源装置を用いることで、簡易な構成により高い効率で光を供給できる。これにより、簡易な構成により高い効率で光を供給可能な照明装置を得られる。
【００１４】
さらに、本発明に係るプロジェクタは、上記の光源装置を有し、光源装置からの光を用いて画像を表示することを特徴とする。上記の光源装置を用いることで、簡易な構成により高い効率で光を供給できる。これにより、簡易な構成で明るい画像を表示可能なプロジェクタを得られる。
【発明を実施するための最良の形態】
【００１５】
以下に図面を参照して、本発明の実施例を詳細に説明する。
【実施例１】
【００１６】
図１は、本発明の実施例１に係る光源装置１０の概略構成を示す。光源装置１０は、半導体レーザ１１を有する。半導体レーザ１１は、第１波長の基本波光を射出する光源部であって、例えば、面発光型の半導体レーザである。第１波長は、例えば１０６４ｎｍである。半導体レーザ１１は、特定の振動方向の偏光光を射出させる。半導体レーザ１１は、第１波長の光を反射させるミラー層１６、及びミラー層１６に積層された活性層１７を有する。
【００１７】
ダイクロイックミラー１２は、半導体レーザ１１及びＳＨＧ素子１３の間の光路中に設けられている。ダイクロイックミラー１２は、第１波長の光を透過させ、第１波長とは異なる波長である第２波長の光を反射させる。ダイクロイックミラー１２は、第１波長の基本波光と、第２波長の高調波光とを分離させる波長分離部である。ダイクロイックミラー１２は、半導体レーザ１１からの光線に対して略４５度の傾きを持たせて配置されている。ダイクロイックミラー１２は、ガラス板等の透明部材に誘電体多層膜をコーティングすることにより構成されている。
【００１８】
ＳＨＧ素子１３は、第１波長の基本波光を入射させることにより、第２波長の高調波光を発生させる。ＳＨＧ素子１３は、半導体レーザ１１からの第１波長の光を第２波長の光へ変換する波長変換素子である。ＳＨＧ素子１３は、半導体レーザ１１及び体積ホログラム１５の間の光路中に設けられている。第２波長は、第１波長の半分の波長であって、例えば５３２ｎｍである。ＳＨＧ素子１３としては、例えば、非線形光学結晶を用いることができる。非線形光学結晶としては、例えば、ニオブ酸リチウム（ＬｉＮｂＯ3）の分極反転結晶（Periodically  Poled  Lithium  Niobate；ＰＰＬＮ）を用いることができる。ＳＨＧ素子１３は、基本波光の第１波長に対応するピッチの分極反転構造を有する。
【００１９】
体積ホログラム１５は、第１波長の光を選択的に反射させ、第１波長以外の波長の光を透過させる機能を有する。体積ホログラム１５は、半導体レーザ１１のミラー層１６との間において半導体レーザ１１からの基本波光を共振させる外部共振器である。体積ホログラム１５には、二方向から入射させた入射光によって生じた干渉縞が記録されている。干渉縞は、高屈折率部分と低屈折率部分とが周期的に配列された周期構造として記録される。体積ホログラム１５は、かかる干渉縞とブラッグ条件が適合する光のみを、回折により選択的に反射させる。
【００２０】
体積ホログラム１５は、基本波光の狭帯域化に適している。光源装置１０は、体積ホログラム１５により基本波光を狭帯域化させることで、高い効率でレーザ光を供給できる。体積ホログラム１５としては、ニオブ酸リチウム等の結晶により形成された結晶型の体積ホログラムや、フォトポリマからなるフォトポリマ体積ホログラムを用いることができる。
【００２１】
波長選択ミラー層１４は、体積ホログラム１５のうちＳＨＧ素子１３側の面に設けられている。波長選択ミラー層１４は、第１波長の光を透過させ、かつ第２波長の光を反射させる波長選択反射部である。波長選択ミラー層１４は、例えば、誘電体多層膜により構成されている。波長選択ミラー層１４を体積ホログラム１５に設けることで、波長選択ミラー層１４を透過した後体積ホログラム１５へ入射する際における基本波光の損失を低減できる。
【００２２】
半導体レーザ１１のミラー層１６は、高屈折率の誘導体と低屈折率の誘導体の積層体によって構成されている。ミラー層１６の積層構造は、半導体レーザ１１により射出される基本波光の波長である第１波長に対して最適化され、基本波光が干渉し強め合う条件に設定されている。不図示の電流供給部から所定量の電流が供給されると、活性層１７は、第１波長の基本波光を射出する。
【００２３】
半導体レーザ１１の活性層１７から射出された基本波光は、ダイクロイックミラー１２を透過した後、ＳＨＧ素子１３へ入射する。ダイクロイックミラー１２からＳＨＧ素子１３へ基本波光が入射することにより生じた高調波光は、波長選択ミラー層１４で反射し、ＳＨＧ素子１３へ入射する。波長選択ミラー層１４からＳＨＧ素子１３へ入射した高調波光は、ＳＨＧ素子１３を透過した後、ダイクロイックミラー１２で反射する。ダイクロイックミラー１２における反射により光路が折り曲げられた高調波光は、光源装置１０から射出される。
【００２４】
ダイクロイックミラー１２からＳＨＧ素子１３へ入射し、ＳＨＧ素子１３を透過した基本波光は、波長選択ミラー層１４を透過した後、体積ホログラム１５で反射する。体積ホログラム１５で反射した基本波光は、波長選択ミラー層１４を透過した後、ＳＨＧ素子１３へ入射する。波長選択ミラー層１４からＳＨＧ素子１３へ基本波光が入射することにより生じた高調波光は、ダイクロイックミラー１２で反射した後、光源装置１０から射出される。
【００２５】
波長選択ミラー層１４からＳＨＧ素子１３へ入射し、ＳＨＧ素子１３を透過した基本波光は、ダイクロイックミラー１２を透過した後、半導体レーザ１１へ入射する。半導体レーザ１１へ入射した基本波光は、ミラー層１６で反射した後、半導体レーザ１１からダイクロイックミラー１２へ向けて射出される。ミラー層１６及び体積ホログラム１５により反射された基本波光は、活性層１７により新たに射出される基本波光と共振して増幅される。
【００２６】
図２は、本実施例の比較例に係る従来の光源装置２０の概略構成を示す。光源装置２０は、半導体レーザ１１、ＳＨＧ素子１３及び体積ホログラム１５を有する。ＳＨＧ素子１３で発生した高調波光は、体積ホログラム１５を透過した後、光源装置２０から射出される。体積ホログラム１５は、基本波光を高い効率で反射可能である一方、高調波光を高い効率で透過させることが困難である。体積ホログラム１５は、体積ホログラム１５へ入射した高調波光の一部を散乱させてしまう。このため、体積ホログラム１５にて高調波光を透過させる従来の構成の場合、高い効率でレーザ光を供給することが困難となる。
【００２７】
図１に戻って、本発明の光源装置１０は、波長選択ミラー層１４及びダイクロイックミラー１２を設けることにより、高調波光のみを取り出し、半導体レーザ１１及び体積ホログラム１５の間において基本波光を共振させる。半導体レーザ１１及び体積ホログラム１５の間で基本波光を往復させる間に高調波光を生じさせることで、高い効率で高調波光を得ることができる。光源装置１０は、半導体レーザ１１、体積ホログラム１５、ＳＨＧ素子１３を配置する光路中に波長選択ミラー層１４及びダイクロイックミラー１２を設ければ良く、簡易な構成にできる。さらに、体積ホログラム１５にて高調波光を透過させる場合と比較して、高い効率で高調波光を得ることが可能となる。これにより、簡易な構成により高い効率で光を供給できるという効果を奏する。
【００２８】
本発明の光源装置１０は、半導体レーザ１１からＳＨＧ素子１３へ基本波光が入射した際に生じた高調波光と、体積ホログラム１５からＳＨＧ素子１３へ基本波光が入射した際に生じた高調波光とを、同軸上にて合成させる。同軸上にて高調波光を合成させることで、光束の空間的な広がりを低減させ、有効利用が可能なレーザ光を供給できる。また、光源装置１０は、同一の振動方向を持つ偏光光を合成可能である。このため、例えば、光源装置１０を液晶表示装置と組み合わせる場合であっても、偏光変換のための光学素子を不要にでき、光源装置１０を簡易な構成にできる。
【００２９】
外部共振器は、基本波光を選択的に反射させる波長特性を持つものであれば良く、体積ホログラム１５を用いる場合に限られない。外部共振器としては、例えば、ダイクロイックミラーを用いても良い。波長選択反射部は、体積ホログラム１５に設けられる場合に限られない。波長選択反射部は、少なくとも、ＳＨＧ素子１３及び体積ホログラム１５の間の光路中に設けられればよい。波長選択反射部は、基本波光に対して高調波光を選択的に反射可能であれば良く、比較的広い波長領域の光を反射させる構成にできる。これに対して、外部共振器は、光源部及び外部共振器間の共振によって基本波光を増幅させるために、比較的狭い波長領域の光を反射させる構成であることが望ましい。
【００３０】
図３は、本実施例の変形例に係る光源装置３０の概略構成を示す。本変形例の光源装置３０は、第１波長の基本波光を反射させ、かつ第２波長の高調波光を透過させるダイクロイックミラー３１を有する。ダイクロイックミラー３１は、基本波光と高調波光とを分離させる波長分離部である。
【００３１】
半導体レーザ１１から射出された基本波光は、ダイクロイックミラー３１での反射により光路が折り曲げられた後、ＳＨＧ素子１３へ入射する。ＳＨＧ素子１３からダイクロイックミラー３１へ入射した高調波光は、ダイクロイックミラー３１を透過した後、光源装置３０から射出される。ＳＨＧ素子１３からダイクロイックミラー３１へ入射した基本波光は、ダイクロイックミラー３１での反射により光路が折り曲げられた後、半導体レーザ１１へ入射する。本変形例の場合も、簡易な構成により高い効率で光を供給できる。本実施例において、波長分離部は、基本波光と高調波光とを分離可能であれば良く、ダイクロイックミラー１２、３１を用いる場合に限られない。
【実施例２】
【００３２】
図４は、本発明の実施例２に係るプロジェクタ４０の概略構成を示す。プロジェクタ４０は、スクリーン４７に光を投写させ、スクリーン４７で反射する光を観察することで画像を鑑賞するフロント投写型のプロジェクタである。上記実施例１と重複する説明は省略する。プロジェクタ４０は、赤色（Ｒ）光用照明装置４１Ｒ、緑色（Ｇ）光用照明装置４１Ｇ、青色（Ｂ）光用照明装置４１Ｂを有する。
【００３３】
図５は、Ｇ光用照明装置４１Ｇの概略構成を示す。Ｇ光用照明装置４１Ｇは、上記実施例１の光源装置１０を有する。Ｇ光用照明装置４１Ｇは、光源装置１０からのＧ光を用いて、被照射物であるＧ光用空間光変調装置４２Ｇを照明する照明装置である。拡散レンズ５２は、光源装置１０からのレーザ光を拡散させることで、照明領域を拡大させる。コリメータレンズ５３は、拡散レンズ５２で拡散されたレーザ光を平行化させる。
【００３４】
第１インテグレータレンズ５４は、アレイ状に配列された複数のレンズ素子５５を用いて、コリメータレンズ５３からの光束を複数に分割する。各レンズ素子５５は、Ｇ光用空間光変調装置４２Ｇと略相似の矩形形状をなしている。第１インテグレータレンズ５４の各レンズ素子５５は、コリメータレンズ５３からの光束を第２インテグレータレンズ５６のレンズ素子５７近傍にて集光させる。第２インテグレータレンズ５６は、アレイ状に配列された複数のレンズ素子５７を用いて、第１インテグレータレンズ５４のレンズ素子５５の像をＧ光用空間光変調装置４２Ｇ上に形成する。
【００３５】
重畳レンズ５８は、第１インテグレータレンズ５４の各レンズ素子５５の像をＧ光用空間光変調装置４２Ｇ上で重畳させる。第１インテグレータレンズ５４、第２インテグレータレンズ５６及び重畳レンズ５８は、照明領域の整形、及び光量分布の均一化を行う。Ｇ光用空間光変調装置４２Ｇは、Ｇ光を画像信号に応じて変調する空間光変調装置であって、透過型液晶表示装置である。Ｇ光用空間光変調装置４２Ｇは、Ｇ光用照明装置４１Ｇからの特定の振動方向の偏光光を変調する。
【００３６】
なお、Ｇ光用照明装置４１Ｇは、照明領域の整形、拡大及び光量分布の均一化が可能であれば良く、本実施例で説明する構成に限られない。例えば、Ｇ光用照明装置４１Ｇは、拡散レンズ５２から重畳レンズ５８までの各構成に代えて、回折光学素子である計算機合成ホログラム（Computer  Generated  Hologram；ＣＧＨ）を用いても良い。また、Ｇ光用照明装置４１Ｇは、図１に示す光源装置１０に代えて、図３に示す光源装置３０を用いても良い。
【００３７】
図４に戻って、Ｒ光用照明装置４１Ｒ、Ｂ光用照明装置４１Ｂは、Ｇ光用照明装置４１Ｇと同様の構成を有する。Ｒ光用照明装置４１Ｒは、例えば、６６０ｎｍの波長のレーザ光を射出させる光源装置を有する。Ｒ光用照明装置４１Ｒは、光源装置からのＲ光を用いて、被照射物であるＲ光用空間光変調装置４２Ｒを照明する照明装置である。Ｒ光用空間光変調装置４２Ｒは、Ｒ光を画像信号に応じて変調する空間光変調装置であって、透過型液晶表示装置である。Ｒ光用空間光変調装置４２Ｒは、Ｒ光用照明装置４１Ｒからの特定の振動方向の偏光光を変調する。
【００３８】
Ｂ光用照明装置４１Ｂは、例えば、４６０ｎｍの波長のレーザ光を射出させる光源装置を有する。Ｂ光用照明装置４１Ｂは、光源装置からのＢ光を用いて、被照射物であるＢ光用空間光変調装置４２Ｂを照明する照明装置である。Ｂ光用空間光変調装置４２Ｂは、Ｂ光を画像信号に応じて変調する空間光変調装置であって、透過型液晶表示装置である。Ｂ光用空間光変調装置４２Ｂは、Ｂ光用照明装置４１Ｂからの特定の振動方向の偏光光を変調する。透過型液晶表示装置としては、例えば高温ポリシリコンＴＦＴ液晶パネル（High  Temperature  Polysilicon；ＨＴＰＳ）を用いることができる。各色光用空間光変調装置４２Ｇ、４２Ｒ、４２ＢからのＧ光、Ｒ光、Ｂ光は、それぞれ異なる方向からクロスダイクロイックプリズム４３へ入射する。
【００３９】
クロスダイクロイックプリズム４３は、互いに略直交させて配置された２つのダイクロイック膜４４、４５を有する。第１ダイクロイック膜４４は、Ｒ光を反射し、Ｇ光及びＢ光を透過させる。第２ダイクロイック膜４５は、Ｂ光を反射し、Ｒ光及びＧ光を透過させる。クロスダイクロイックプリズム４３は、それぞれ異なる方向から入射したＲ光、Ｇ光及びＢ光を合成し、投写レンズ４６の方向へ射出させる。投写レンズ４６は、クロスダイクロイックプリズム４３で合成された光をスクリーン４７の方向へ投写する。
【００４０】
上記実施例１と同様の構成を有する光源装置を用いることで、簡易な構成により高い効率で光を供給できる。これにより、プロジェクタ４０を簡易な構成とし、かつ明るい画像を表示できるという効果を奏する。なお、プロジェクタ４０は、全ての光源装置が上記実施例１と同様の構成である場合に限られず、一部の光源装置が上記実施例１とは異なる構成であっても良い。例えば、Ｒ光用照明装置４１Ｒの光源装置は、ＳＨＧ素子を用いずレーザ光源からの基本波光をそのままの波長で射出する構成としても良い。
【００４１】
プロジェクタは、空間光変調装置として透過型液晶表示装置を用いる場合に限られない。空間光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いても良い。プロジェクタは、色光ごとに空間光変調装置を備える構成に限られない。プロジェクタは、一の空間光変調装置により２つ又は３つ以上の色光を変調する構成としても良い。プロジェクタは、空間光変調装置を用いる場合に限られない。プロジェクタは、ガルバノミラー等の走査手段により光源装置からのレーザ光を走査させ、被照射面において画像を表示するレーザスキャン型のプロジェクタであっても良い。
【００４２】
プロジェクタは、スクリーンの一方の面に光を供給し、スクリーンの他方の面から射出される光を観察することで画像を鑑賞する、いわゆるリアプロジェクタであっても良い。本発明の光源装置は、プロジェクタに適用される場合に限られない。本発明の光源装置は、例えば、レーザ光を用いて露光を行う露光装置や、レーザ光により照明された像をモニタするモニタ装置等に適用することとしても良い。
【産業上の利用可能性】
【００４３】
以上のように、本発明に係る光源装置は、プロジェクタに用いる場合に適している。
【図面の簡単な説明】
【００４４】
【図１】本発明の実施例１に係る光源装置の概略構成を示す図。
【図２】実施例１の比較例に係る従来の光源装置の概略構成を示す図。
【図３】実施例１の変形例に係る光源装置の概略構成を示す図。
【図４】本発明の実施例２に係るプロジェクタの概略構成を示す図。
【図５】Ｇ光用照明装置の概略構成を示す図。
【符号の説明】
【００４５】
１０  光源装置、１１  半導体レーザ、１２  ダイクロイックミラー、１３  ＳＨＧ素子、１４  波長選択ミラー層、１５  体積ホログラム、１６  ミラー層、１７  活性層、２０  光源装置、３０  光源装置、３１  ダイクロイックミラー、４０  プロジェクタ、４１Ｇ  Ｇ光用照明装置、４１Ｒ  Ｒ光用照明装置、４１Ｂ  Ｂ光用照明装置、４２Ｇ  Ｇ光用空間光変調装置、４２Ｒ  Ｒ光用空間光変調装置、４２Ｂ  Ｂ光用空間光変調装置、４３  クロスダイクロイックプリズム、４４  第１ダイクロイック膜、４５  第２ダイクロイック膜、４６  投写レンズ、４７  スクリーン、５２  拡散レンズ、５３  コリメータレンズ、５４  第１インテグレータレンズ、５５、５７  レンズ素子、５６  第２インテグレータレンズ、５８  重畳レンズ
【図１】
2008286823.tif 000003
【図２】
2008286823.tif 000004
【図３】
2008286823.tif 000005
【図４】
2008286823.tif 000006
【図５】
2008286823.tif 000007